(57)【特許請求の範囲】
【請求項１】
漏洩同軸ケーブルと、
前記漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構とを具備し、
前記筐体は、前記筐体内で前記漏洩同軸ケーブルから放射された電磁波を、当該電磁波が前記筐体外の通信端末との無線通信には寄与しないように遮蔽することを特徴とするアンテナ装置。
【請求項２】
漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構と、
前記漏洩同軸ケーブルをアンテナとして利用して無線通信を行う通信回路とを具備し、
前記筐体は、前記筐体内で前記漏洩同軸ケーブルから放射された電磁波を、当該電磁波が前記筐体外の通信端末との無線通信には寄与しないように遮蔽することを特徴とする無線機。
【請求項３】
漏洩同軸ケーブルと、
前記漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構と、
前記漏洩同軸ケーブルをアンテナとして利用して無線通信を行う通信回路とを具備し、
前記筐体は、前記筐体内で前記漏洩同軸ケーブルから放射された電磁波を、当該電磁波が前記筐体外の通信端末との無線通信には寄与しないように遮蔽することを特徴とする無線機。
【請求項４】
前記筐体は、互いに着脱可能な第１および第２の筐体を含み、前記第１の筐体は前記保持機構を収容するとともに、前記電磁波を遮蔽する機能を備え、前記第２の筐体は前記通信回路を収容する請求項２または請求項３に記載の無線機。
【発明の詳細な説明】
【技術分野】
【０００１】
本発明の実施形態は、アンテナ装置および無線機に関する。
【背景技術】
【０００２】
本出願人は、漏洩同軸ケーブルを用いて無線通信のスポットサービスを提供するシステムを構想している。
【先行技術文献】
【特許文献】
【０００３】
【特許文献１】特開２００５−２３６７４５号公報
【発明の概要】
【発明が解決しようとする課題】
【０００４】
漏洩同軸ケーブルは、そのケーブル長によって通信エリアが決まる。
【０００５】
しかしながら、法的な制限のために漏洩同軸ケーブルを安易に切断することは許されない。このため、ケーブル長によって通信エリアを変更したい場合には、ケーブル長の異なる別の漏洩同軸ケーブルに交換することになる。
【０００６】
このような事情から、漏洩同軸ケーブルを交換することなく、ケーブル長により通信エリアを変更できることが望ましい。
【課題を解決するための手段】
【０００７】
実施形態のアンテナ装置は、漏洩同軸ケーブル、筐体および保持機構を含む。筐体は、漏洩同軸ケーブルを挿通した開口を有する。保持機構は、筐体の内部に設けられ、漏洩同軸ケーブルのうちの開口から筐体の外に引き出されている部分の長さがそれぞれ異なる複数の状態のいずれかで漏洩同軸ケーブルを保持する。さらに筐体は、筐体内で漏洩同軸ケーブルから放射された電磁波を、当該電磁波が筐体外の通信端末との無線通信には寄与しないように遮蔽する。
【図面の簡単な説明】
【０００８】
【図１】第１の実施形態に係る無線機の斜視図。
【図２】第１の実施形態に係る無線機の斜視図。
【図３】第１の実施形態に係る無線機の一部を破断して示す図。
【図４】第１の実施形態に係る無線機の斜視図。
【図５】第２の実施形態に係る無線機の斜視図。
【図６】第２の実施形態に係る無線機の一部を破断して示す図。
【発明を実施するための形態】
【０００９】
以下実施の形態を図面を用いて説明する。
【００１０】
（第１の実施形態）
図１乃至図３は第１の実施形態に係る無線機の図である。
【００１１】
無線機１００は、アンテナユニット１および信号処理ユニット２を含む。
【００１２】
図１はアンテナユニット１および信号処理ユニット２を互いに結合した状態の無線機１００の斜視図である。
【００１３】
図２はアンテナユニット１および信号処理ユニット２を互いに分離した状態の無線機１００の斜視図である。
【００１４】
図３はアンテナユニット１および信号処理ユニット２を互いに分離した状態の無線機１００の一部を破断して示す図である。
【００１５】
図１および図２に示すように、アンテナユニット１および信号処理ユニット２、互いに分離・結合が可能である。
【００１６】
アンテナユニット１は、筐体１０、漏洩同軸（ＬＣＸ）ケーブル１１、アプローチケーブル１２、ケーブルリール１３、ホイール１４、信号線１５、コネクタ１６、留め具１７を含む。信号処理ユニット２は、筐体２０、コネクタ２１、信号線２２および回路基板２３を含む。
【００１７】
筐体１０は、内部空間を形成し、この内部空間にケーブルリール１３を収容する。筐体１０は、コネクタ１６をその一部を外部に露出する状態で支持する。筐体１０は、電磁波を遮蔽する。筐体１０に電磁波を遮蔽する機能を持たせるためには、電磁波の透過率が低い素材の使用、導電塗料の塗布、あるいは電波吸収シートの貼り付けなどの種々の手段を適宜に利用できる。
【００１８】
ＬＣＸケーブル１１は、第１の端部から供給された高周波信号を第２の端部に向けて伝送するとともに、この高周波信号のエネルギの一部を中間部に設けられたスロットから電波として放射する。またＬＣＸケーブル１１は、周囲の電磁波に応じて生じる高周波信号を伝送する。ＬＣＸケーブル１１は、第１の端部および第２の端部が筐体１０の内部および外部にそれぞれ位置するように筐体１０に形成された開口１０ａを通して配置される。ＬＣＸケーブル１１のうちの筐体１０の外部に位置する部分は、図示しないカバーなどによってほぼ直線状の姿勢を保つように保持される。ＬＣＸケーブル１１の第１の端部には、コネクタ１１ａが取り付けられている。
【００１９】
アプローチケーブル１２は、高周波信号を伝送する。アプローチケーブル１２は、例えば一般的な同軸ケーブルである。アプローチケーブル１２の一端は、ケーブルリール１３の内部に固定されていて、かつ信号線１５に電気的に接続されている。アプローチケーブル１２の他端には、コネクタ１２ａが取り付けられている。コネクタ１２ａは、コネクタ１１ａと結合し、アプローチケーブル１２とＬＣＸケーブル１１とを結合する。
【００２０】
ケーブルリール１３は、回転可能な巻軸を内蔵し、この巻軸が回転することでＬＣＸケーブル１１およびアプローチケーブル１２を開口１０ａから巻き込む。ケーブルリール１３は、巻き込んだＬＣＸケーブル１１およびアプローチケーブル１２を引き出すことも可能とする。
【００２１】
ホイール１４は、円板１４ａと軸１４ｂとを含む。円板１４ａは、筐体１０の外部に露出する。軸１４ｂは、円板１４ａの中央から突出する。軸１４ｂは、ケーブルリール１３の巻軸に接続されている。かくしてホイール１４の回転は、ケーブルリール１３の巻軸の回転と連動する。
【００２２】
信号線１５は、アプローチケーブル１２の一端とコネクタ１６とを電気的に接続し、高周波信号を伝送する。
【００２３】
コネクタ１６は、アンテナユニット１と信号処理ユニット２とが結合状態にあるときにコネクタ２１と結合し、高周波信号を授受する。
【００２４】
留め具１７は、アンテナユニット１と信号処理ユニット２とが結合状態にあるときに、爪１７ａを筐体２０に形成された凹部に係合させることによりアンテナユニット１と信号処理ユニット２とを結合状態にロックする。
【００２５】
筐体２０は、内部空間を形成し、この内部空間に回路基板２３を収容する。筐体２０は、コネクタ２１をその一部を外部に露出する状態で支持する。
【００２６】
コネクタ２１は、アンテナユニット１と信号処理ユニット２とが結合状態にあるときにコネクタ１６と結合し、高周波信号を授受する。
【００２７】
信号線２２は、回路基板２３とコネクタ２１とを電気的に接続し、高周波信号を伝送する。
【００２８】
回路基板２３は、ＬＣＸケーブル１１を利用して無線通信を行うための処理回路が実装されている。
【００２９】
かくして以上のように構成された無線機１００によれば、ホイール１４を回転させることにより、ケーブルリール１３にＬＣＸケーブル１１およびアプローチケーブル１２を巻き込んだり、ケーブルリール１３からＬＣＸケーブル１１およびアプローチケーブル１２を繰り出したりすることができる。また、ＬＣＸケーブル１１を引っ張ることによって、ケーブルリール１３からＬＣＸケーブル１１およびアプローチケーブル１２を引き出すことができる。そしてこれらの作業により、ＬＣＸケーブル１１のうちの筐体１０の外部に出ている部分の長さＬを任意に調整することが可能である。つまりケーブルリール１３は、保持機構として機能する。
【００３０】
図４は長さＬを図１におけるＬ１よりも短いＬ２に調整した状態における無線機１００の斜視図である。
【００３１】
このように長さＬを変化させることにより、通信エリアを変更することが可能である。
【００３２】
筐体１０は電磁波を遮蔽するため、ＬＣＸケーブル１１のケーブルリール１３に巻き取られた部分は、無線機１００と通信端末との無線通信には寄与しない。従って、ＬＣＸケーブル１１のうちの筐体１０の外部に出ている部分のみが実質的なアンテナとして機能し、通信エリアを安定的に形成できる。
【００３３】
また、ＬＣＸケーブル１１をアプローチケーブル１２から容易に取り外すことが可能である。このため、ＬＣＸケーブル１１の交換とケーブルリール１３による長さＬの調整との双方を組み合わせて通信エリアを変更することも可能である。
【００３４】
また、アンテナユニット１と信号処理ユニット２とが分離可能であるため、信号処理ユニット２の交換による通信能力の変更を容易に図ることができる。
【００３５】
（第２の実施形態）
図５は第２の実施形態に係る無線機２００の斜視図である。図６は無線機２００の一部を破断して示す図である。なお、図５および図６において図１乃至図４と同一の部分には同一の符号を付し、その詳細な説明は省略する。
【００３６】
アンテナユニット１は、ＬＣＸケーブル１１、アプローチケーブル１２、ケーブルリール１３、ホイール１４、回路基板２３、筐体３０および信号線３１を含む。
【００３７】
筐体３０は、内部空間を形成し、この内部空間にケーブルリール１３および回路基板２３を収容する。筐体３０は、電磁波を遮蔽する。筐体３０に電磁波を遮蔽する機能を持たせるためには、電磁波の透過率が低い素材の使用、導電塗料の塗布、あるいは電波吸収シートの貼り付けなどの種々の手段を適宜に利用できる。
【００３８】
信号線３１は、アプローチケーブル１２の一端と回路基板２３とを電気的に接続し、高周波信号を伝送する。
【００３９】
つまり無線機２００は、筐体１０，２０に別々に収容されていたケーブルリール１３および回路基板２３を単一の筐体３０に収容するとともに、これらケーブルリール１３および回路基板２３を信号線３１により接続したものである。
【００４０】
無線機２００は、信号処理ユニット２の交換による通信能力の変更を容易に図ることができるという効果以外の効果は無線機１００と同様に達成できる。
【００４１】
この実施形態は、次のような種々の変形実施が可能である。
【００４２】
アンテナユニット１の構造を備えたアンテナ装置として実施することも可能である。
【００４３】
ＬＣＸケーブル１１を含まない無線機として実施することも可能である。
【００４４】
筐体１０，３０は、電磁波を遮蔽する機能を持たなくても良い。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］
漏洩同軸ケーブルと、
前記漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構とを具備したアンテナ装置。
［付記２］
前記筐体は、前記漏洩同軸ケーブルが送受信する電磁波を遮蔽する付記１に記載のアンテナ装置。
［付記３］
漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構と、
前記漏洩同軸ケーブルをアンテナとして利用して無線通信を行う通信回路とを具備した無線機。
［付記４］
漏洩同軸ケーブルと、
前記漏洩同軸ケーブルを挿通した開口を有した筐体と、
前記筐体の内部に設けられ、前記漏洩同軸ケーブルのうちの前記開口から前記筐体の外に引き出されている部分の長さがそれぞれ異なる複数の状態のいずれかで前記漏洩同軸ケーブルを保持する保持機構と、
前記漏洩同軸ケーブルをアンテナとして利用して無線通信を行う通信回路とを具備した無線機。
［付記５］
前記筐体は、前記漏洩同軸ケーブルが送受信する電磁波を遮蔽する付記３または付記４に記載の無線機。
［付記６］
前記筐体は、互いに着脱可能な第１および第２の筐体を含み、前記第１の筐体は前記保持機構を収容し、前記第２の筐体は前記通信回路を収容する付記３または付記４に記載の無線機。
【符号の説明】
【００４６】
１００，２００…無線機、１…アンテナユニット、２…信号処理ユニット、１０ａ…開口、１０，２０，３０…筐体、１１…漏洩同軸（ＬＣＸ）ケーブル、１２…アプローチケーブル、１１ａ，１２ａ…コネクタ、１３…ケーブルリール、１４…ホイール、１５，３３，３１…信号線、１６，２１…コネクタ、１７…留め具、２３…回路基板。
【図１】
0005380499.tif 000002
【図２】
0005380499.tif 000003
【図３】
0005380499.tif 000004
【図４】
0005380499.tif 000005
【図５】
0005380499.tif 000006
【図６】
0005380499.tif 000007